(57)【要約】【課題】外気温が低く、温室内気温が低下しやすい場合においても、切り花品質を向上させ、採花本数を増加させるバラの栽培方法を提供する。このことにより、温室内の空気の温度を全体として上昇させる場合に比べて燃料消費量を抑え、地球温暖化の原因となる炭酸ガスの排出量を削減する。【解決手段】バラの株元の茎（Ｒａ）近傍に通液管（３）を配設し、この通液管に温度２０〜５０℃の範囲の液体を通すことにより、外気温が低く、温室内気温が低下しやすい場合においても、切り花品質を向上させ、採花本数を増加させ得る。通液管（３）は、バラの株元の茎（Ｒａ）近傍に水平に配設される。【選択図】図１
2010119311.tif 000002
【特許請求の範囲】
【請求項１】
温室内で切花用のバラを栽培する方法であって、
バラ株元の茎近傍に配設される通液管に温度２０〜５０℃の範囲の液体を通すことを特徴とするバラの栽培方法。
【請求項２】
前記通液管がバラ株元の茎近傍に水平に配設されることを特徴とする請求項１記載のバラの栽培方法。
【請求項３】
前記液体が水であることを特徴とする請求項１又は２記載のバラの栽培方法。
【発明の詳細な説明】
【技術分野】
【０００１】
本発明は、切花用のバラを栽培する方法に関し、さらに詳しくは、外気温が低い冬場に温室内で切花用のバラを栽培する方法に関する。
【背景技術】
【０００２】
バラは、花き栽培においてキク、カーネーションに次ぐ主力品目であり、平成１８年統計では国内作付面積４８９ｈａ、年間出荷本数３億６，９１０万本、生産者数約１，７１０戸で生産を行っている。しかしながら、近年、切り花単価の低迷、生産経費の高騰、生産環境の悪化等によりバラ生産者の経営状態は苦難を呈しており、栽培規模の縮小や経営転換をせざるを得ない生産者も現れている。特に、生産経費の中で暖房燃料の割合が大きいので、近年の重油のコストの高騰は負担が大きいものとなっている。特に、Ａ重油の価格は、平成１０年に３０円台／Ｌであったが、平成２０年には１２０円台／Ｌまで高騰している。
【０００３】
一般的に、バラは、環境の温度が下がると開花までの日数（到花日数）が長くなり、切り花本数が減少する。このため、切り花の生産量を減少させないためには、温室内の温度が下がりすぎないようにする必要がある。しかしながら、燃料費の変動経費全体に占める割合が大きいバラ栽培生産者にとって、燃料消費量の増加は経営の悪化につながる。
また、燃料消費量の増加により温室効果ガスの排出量も増加するので、人類の大きな取り組み課題である地球温暖化防止の観点からも好ましくない。
そこで、切り花の生産性・品質向上技術を図ることにより、省エネルギーを達成することが望まれている。
【０００４】
バラの株元に通液管を配設しておき、気温および培地温がバラの栽培適温を下回る時期に通水管に温湯を通水することにより、温湯の通水で冬季にバラの株元付近の培地温を上げて栽培適温に制御するとともに、周囲の気温低下を抑制するバラの栽培方法が提案されている。（特許文献１参照）
【特許文献１】特開２００３−１６９５３６号公報（段落［０００７］、図１）
【発明の開示】
【発明が解決しようとする課題】
【０００５】
しかしながら、上記従来技術は、バラの株元として、バラを育種するポットの両側に通水管を設ける構造でり、上部をフィルム等で覆うことによる培地を中心とした加温システムであるため、バラ株元近くの茎の温度及び株元から上方向に伸びるバラの茎と葉の環境温度に対する効果が十分でなく、切り花品質を向上させ、採花本数を確保することが困難であるという課題があった。
【０００６】
したがって、本発明の目的は、上記課題を解決すべく、外気温が低く、温室内気温が低下しやすい場合においても、切り花品質を向上させ、採花本数を増加させるバラの栽培方法を提供することことである。
【課題を解決するための手段】
【０００７】
本発明者は、上記の課題を解決するとともに上記の目的を達成するために鋭意研究した。そして、バラの株元の茎近傍に通液管を配設し、この通液管に温度２０〜５０℃の範囲の液体を通すことにより、外気温が低く、温室内気温が低下しやすい場合においても、切り花品質を向上させ、採花本数を増加させ得ることを見い出して、本発明を完成するに至った。
【０００８】
本発明において、通液管がバラ株元の茎近傍に水平に配設されることが好ましい。このことにより、同時に複数のバラの苗について、各々のバラ株元の茎近傍及び株元から上方向に伸びるバラの茎と葉、さらに折り曲げた光合成枝をより効率的に加温することができる。さらに、本発明において、より容易に入手でき、熱容量の大きい水を通液管に流すことが好ましい。
【発明の効果】
【０００９】
上記のように構成した本発明によれば、バラの株元の茎近傍に配設された通液管に温度２０〜５０℃の範囲の液体が流れるので、通液管からの直接の放熱・輻射熱により、バラ株元の茎部及びその上部の茎と葉、さらに折り曲げた光合成枝に効率よく熱を与えることができ、外気温が低く、温室内気温が低下しやすい場合であっても、切り花品質を向上させ、採花本数を増加させることができる。
【発明を実施するための最良の形態】
【００１０】
以下、本発明の実施の態様を詳細に説明するが、本発明は、これに限定されて解釈されるものではなく、本発明の範囲を逸脱しない限りにおいて、当業者の知識に基づいて、種々の変更、修正、改良を加え得るものである。なお、本発明において、「環境温度」とは温室内におけるバラが育成する場所の空気温度を示す意味において用いられる。
【００１１】
図１は、本実施形態に係るバラの栽培方法に使用する栽培装置１０を示す。
栽培装置１０は、高設ベンチ７と、該高設ベンチ７上に載置された栽培ベッド５と、該栽培ベッド５に一定間隔で一列に置かれる苗育成キューブ１を有する。該苗育成キューブ１で育種されるバラの株元の茎Ｒａ近傍には、その茎の両側（図１において、バラの株元の茎Ｒａの左右）に、該茎を挟んで略平行、かつ水平（図１において、紙面に垂直方向）に通液管３が配設される。
【００１２】
栽培ベッド５は、発砲スチロールの容器の内部に、培地として市販の園芸用のロックウールマットが敷かれたものであり、この中に肥料を含んだ水溶液を供給することにより、バラに養分が与えられる。苗育成キューブ１としては、市販の園芸用ロックウールキューブが用いられ、該ロックウールキューブにバラの苗が育種される。そして、この苗育成キューブ１は、栽培ベッド５のロックウールマットの上に一定間隔で一列に（図１において、紙面に垂直方向）載置される。バラは、生長すると、苗育成キューブ１の底面を通って、栽培ベッド５のロックウールマット中にその根を張る。
【００１３】
栽培装置１０は、温室内に配置され、外気温が下がると、温室内は一定温度（１８℃）を維持するように重油を燃料とするバーナーにより加温される。このとき、通液管３に温度２０〜５０℃の範囲の水を通すことにより、バラの株元の茎Ｒａ、株元から上方向に伸びているバラの茎と葉、さらに折り曲げた光合成枝が加温される。
水温は、バラの栽培に最適とされる１８℃よりやや高い２０℃から５０℃の範囲であれば効果を発揮できるが、２４℃から４０℃の範囲が好適である。２０℃より低いと加温効果が弱くなり、５０℃を超えるとバラの株元の温度が上昇しすぎるため、省エネルギーの観点の点からも好ましくない。
【００１４】
通液管３の材料は、銅管、アルミニウム管などの金属配管材料、硬質ポリ塩化ビニル管などの樹脂配管材料から適宜選択できる。さらに、輻射熱を多く放出する管が適している。
本発明に係るバラの栽培方法では、バラ株元の茎近傍に配設される通液管に温度２０〜５０℃の範囲の液体が通されるので、バラの株元の茎Ｒａ、株元から上方向に伸びているバラの茎と葉及び折り曲げた光合成枝など植物体の地上部３０ｃｍまでが輻射熱により直接的に及び／又は環境温度の上昇により間接的に加温されることにより、切り花本数、切り花品質を向上させることができる。
【００１５】
上記のように、本発明に係るバラの栽培方法では、温室内での切り花用のバラの栽培において、冬期などの外気温が低く、温室内気温が低下しやすい場合であっても、切り花品質及び採花本数を向上させつつ、エネルギー消費量を削減することができる。このことは、さらに、温室内の空気の温度を全体として上昇させる場合に比べて省エネルギーとなり、全体として燃料消費量を削減し、地球温暖化の原因となる炭酸ガスの排出量を抑えることができる。
【実施例】
【００１６】
本実施例は本発明の実施態様を具体的に説明したものであって、本発明の範囲を限定することを意図しない。
材料及び方法
［実施例１］
昼間は換気で設定温度２３℃、夜間は加温で設定温度１８℃に調整が行われている温室内に、高さ８０ｃｍの高設ベンチ７を設けた。バラ養液栽培用スラブとして市販の園芸用のロックウールマットを発砲スチロール製の容器に敷き詰めた栽培ベッド５を、高設ベンチ７の上に設置した。
苗育成キューブ１は、一辺１０ｃｍの大きさの園芸用ロックウールキューブであり、４側面にビニルが巻かれているものを使用した。バラ苗の試供品種として、赤色大輪系の主力である「ローテローゼ」を用いた。
【００１７】
９月下旬、栽培ベッド５に、バラの苗が育種してある苗育成キューブ１を一定間隔で一列に２０個載置した。
次いで、すべて（２０本）のバラ苗株元の茎近傍に茎を挟んで両側に通液管３を設けた。通液管３として、蛇腹の可撓性管（外径３５ｍｍ、材質：塩化ビニル）を使用した。蛇腹の通液管３を用いたのは伝熱面積を大きくするためであり、可撓性管を用いたのは設置が容易なためである。
バラの苗が活着した１１月下旬、バラの茎を株元より折り曲げ、アーチング仕立てを行った。
【００１８】
折り曲げた日から全日、電熱ヒータ（ジェックス（株）製、コンパクトスリムヒータ２００）を用いて温度３５℃に加熱した水を、ポンプで通液管３を通して循環させた。室温センサーは、バラの株元とほぼ同じ高さ（地上１．０ｍ）に設置し、バラの茎及び葉廻りの環境温度、通液管３の表面温度の測定は、熱電対を用いて行った。
採花は翌年の１月より行い、採花本数、切り花長、切り花重、節数について調査した。
２月５日、通液管３からの距離と環境温度との関係を測定した。
【００１９】
［実施例２］
実施例１の場合と同じ材料及び装置を使用し、同じ方法で行ったが、通液管３に流す水の温度は２５℃とした。
【００２０】
［比較例］
従来の方法で行った。つまり、実施例１の場合と違って、バラ苗の株元の茎Ｒａ近傍に通液管３を設けて、バラ株元の茎及びその上部の茎と葉を加温することはしなかった。その他の材料、装置及び方法は実施例１の場合と同じとした。
【００２１】
結  果
（ａ）通液管３からの距離と環境温度との関係
図２は、夜間における通液管３からの距離（上方向）と環境温度との関係を示す。
実施例１では、通液管３の表面温度は２５．２℃であり、そこから１ｃｍ離れた上方部の環境温度は２０．１℃、１０ｃｍ離れた上方部では１８．８℃、３０ｃｍより上方部では約２０℃であった。
実施例２では、通液管３の表面温度は１９．６℃であり、そこから１０ｃｍ離れた上方部までは、実施例１の場合より０．６〜０．１℃低く、３０ｃｍより上方部では、実施例１の場合と同様に約２０℃であった。
比較例では、株元の茎Ｒａ近傍の環境温度は１６．５℃と低く、そこから上方へ行くほど上昇し、３０ｃｍより上方部では、実施例１及び２の場合とほぼ同じであった。
【００２２】
夜間において、通液管３から５ｃｍ離れた上部の環境温度は、実施例１で平均２．３℃、実施例２で平均１．５℃、各々比較例よりも高かった。昼間は、気温の上昇とともに環境温度も高くなり、通液管３から５ｃｍ離れた上方部の環境温度は、実施例１及び２の場合と比較例との差は、いずれも夜間における温度差よりも小さくなった（図示せず）。
【００２３】
図２に示すように、比較例では、バラの株元の茎Ｒａ近傍の環境温度は１６．５℃であり、室温（１８℃）より低かった。これは、光合成枝Ｒｃを折り曲げたことにより株元付近の空気が停滞し、重油バーナーによる加温効果が低下しているためと考えられる。通液管３を設置し、その中に温水を流すことにより、株元の茎Ｒａ近傍及び通液管３から３０ｃｍ上方部の範囲の環境温度をバラ栽培の最低制御温度１８℃より高く維持することができた。
【００２４】
（ｂ）総採花本数と切り花品質との関係
表１は、実施例１、２及び比較例における総採花本数と切り花品質との関係を示す。
折り曲げ後の１番花の到花日数は、実施例１及び２で６１日であるのに対して、比較例では、６５日であった。つまり、通液管３に各々３５℃及び２５℃の水を流すことにより、採花を早めることができた。水の温度が３５℃及び２５℃の場合では、いずれも６１日であり差は生じなかった。
【００２５】
【表１】
2010119311.tif 000003
【００２６】
切り花長は、実施例１及び２の場合、いずれも比較例の場合より平均１０ｃｍ長くなった。
切り花重は、切り花長に対応して、実施例１及び２の場合いずれも比較例よりも重くなった。また、切り花節数は、実施例１及び２がいずれも比較例より２節程度多くなった。
図３は、切り花長の比率を示す。採花された切り花長の比率でみると、実施例１及び２では１００ｃｍ以上の比率が５０％以上であるのに対して、比較例では２０％程度であった。つまり、通液管３に各々３５℃及び２５℃の水を流すことにより、切り花長を長く、切り花重を重くすることができた。
【００２７】
図３は、バラの採花枝Ｒｂ（ステム）の伸長経過を示す。ステムの伸長経過は、実施例１及び２の場合では、いずれも比較例より、折り曲げ後の伸長が早い。つまり、通液管３に各々３５℃及び２５℃の水を流すことにより、バラを早く生長させることができた。
【００２８】
折り曲げ栽培（アーチング）において、バラの株の茎近傍に設けられた通液管３に各々３５℃及び２５℃の水を流すことにより、到花日数を短縮させ、切り花長、切り花重、節数など切り花の品質を向上させることができた。
【産業上の利用可能性】
【００２９】
本発明は、温室における切花用のバラの栽培に利用することができる。
【図面の簡単な説明】
【００３０】
【図１】本実施形態に係るバラの栽培方法に使用する栽培装置を示す正面図である。
【図２】実施例１及び２における通液管から上方への距離とその場所の環境温度との関係、及び比較例における同位置の温度との関係を示すグラフである。
【図３】実施例１、２及び比較例における切り花長の比率を示すグラフである。
【図４】実施例１、２及び比較例におけるバラの採花枝（ステム）の伸長経過を示すグラフである。
【符号の説明】
【００３１】
１          苗育成キューブ
３          通液管
５          栽培ベッド
７          高設ベンチ
１０        栽培装置
Ｒａ        バラ株元の茎
Ｒｂ        バラの採花枝
Ｒｃ        バラの光合成枝
【図１】
2010119311.tif 000004
【図２】
2010119311.tif 000005
【図３】
2010119311.tif 000006
【図４】
2010119311.tif 000007